(57)【要約】  本発明は、マルチアプリケーションオリフィススチームトラップ装置に関すする。本発明は、オリフィスホールを有し、生蒸気輸送管に連結されて生蒸気の漏れを遮断し、凝縮水のみを排出するオリフィススチームトラップと、凝縮水が排出される前記オリフィススチームトラップの後段に連結され、前記オリフィススチームトラップの背圧を調節する背圧調節手段と、前記背圧調節手段の前側である前記背圧調節手段と前記オリフィススチームトラップとの間又は前記背圧調節手段の後側のいずれか一つまたは両方に設置され、前記背圧調節手段の前側または後側のいずれか一つまたは両方で、温度または圧力のいずれか一つまたは両方を測定する測定手段を含む。
2017531771.tif 000002
【特許請求の範囲】
【請求項１】
オリフィスホールを有し、生蒸気輸送管に連結されて生蒸気の漏れを遮断し、凝縮水のみを排出するオリフィススチームトラップと、
凝縮水が排出される前記オリフィススチームトラップの後段に連結され、前記オリフィススチームトラップの背圧を調節する背圧調節手段と、
前記背圧調節手段の前側である前記背圧調節手段と前記オリフィススチームトラップとの間又は前記背圧調節手段の後側のいずれか一つまたは両方に設置され、前記背圧調節手段の前側または後側のいずれか一つまたは両方で、温度または圧力のいずれか一つまたは両方を測定する測定手段を含むマルチアプリケーションオリフィススチームトラップ装置。
【請求項２】
前記背圧調節手段は、弁であることを特徴とする請求項１に記載のマルチアプリケーションオリフィススチームトラップ装置。
【請求項３】
前記測定手段は、温度測定手段と圧力測定手段のいずれか一つまたは両方からなり、温度または圧力のいずれか一つまたは両方を測定する請求項１に記載のマルチアプリケーションオリフィススチームトラップ装置。
【請求項４】
前記温度測定手段と前記圧力測定手段は、前記背圧調節手段の前側である前記背圧調節手段と前記オリフィススチームトラップとの間に順次設置され、前記背圧調節手段の前側の温度と圧力を測定する請求項３に記載のマルチアプリケーションオリフィススチームトラップ装置。
【請求項５】
前記温度測定手段と前記圧力測定手段は、前記背圧調節手段の後側に順次設置され、前記背圧調節手段の後側の温度と圧力を測定する請求項４に記載のマルチアプリケーションオリフィススチームトラップ装置。
【請求項６】
前記温度測定手段は、前記背圧調節手段の前側である前記背圧調節手段と前記オリフィススチームトラップとの間に設置され、前記背圧調節手段の前側の温度を測定する請求項３に記載のマルチアプリケーションオリフィススチームトラップ装置。
【請求項７】
前記温度測定手段と前記圧力測定手段は、前記背圧調節手段の後側に順次設置され、前記背圧調節手段の後側の温度と圧力を測定する請求項６に記載のマルチアプリケーションオリフィススチームトラップ装置。
【請求項８】
前記圧力測定手段は、前記背圧調節手段の前側である前記背圧調節手段と前記オリフィススチームトラップとの間に設置され、前記背圧調節手段の前側の圧力を測定する請求項３に記載のマルチアプリケーションオリフィススチームトラップ装置。
【請求項９】
前記温度測定手段と前記圧力測定手段は、前記背圧調節手段の後側に順次設置され、前記背圧調節手段の後側の温度と圧力を測定する請求項８に記載のマルチアプリケーションオリフィススチームトラップ装置。
【請求項１０】
前記温度測定手段と前記圧力測定手段は、前記背圧調節手段の後側に順次設置され、前記背圧調節手段の後側の温度と圧力を測定する請求項３に記載のマルチアプリケーションオリフィススチームトラップ装置。
【請求項１１】
前記温度測定手段は、前記背圧調節手段の後側に設置され、前記背圧調節手段の後側の温度を測定する請求項３に記載のマルチアプリケーションオリフィススチームトラップ装置。
【請求項１２】
前記温度測定手段は、１つ以上の汽水分離壁と温度測定センサーとを含む請求項３に記載のマルチアプリケーションオリフィススチームトラップ装置。
【請求項１３】
前記温度測定手段は、管部と前記管部から突き出す錐台部とを含み、前記汽水分離壁は、前記管部と前記錐台壁に配列され、前記温度測定センサーは、錐台壁の上部に設置される請求項１２に記載のマルチアプリケーションオリフィススチームトラップ装置。
【請求項１４】
前記温度測定手段は、温度測定センサーが測定した温度データの伝送を受けて外部に表示する表示手段をさらに含む請求項１２に記載のマルチアプリケーションオリフィススチームトラップ装置。
【請求項１５】
前記圧力測定手段は、管体と前記管体に設置される圧力計とからなる請求項３に記載のマルチアプリケーションオリフィススチームトラップ装置。
【請求項１６】
温度測定手段の温度データと圧力測定手段の圧力データのいずれか一つまたは両方のデータの伝送を受けて前記排気手段の作動を制御する制御手段をさらに含む請求項３に記載のマルチアプリケーションオリフィススチームトラップ装置。
【発明の詳細な説明】
【技術分野】
【０００１】
本発明は、オリフィススチームトラップ装置に関し、特に設置環境に拘らず如何なる場所にも適用されて、凝縮水を排出する時に生蒸気（ｓｔｅａｍ）の漏れを効果的に遮断するマルチアプリケーションオリフィススチームトラップ装置に関する。
【背景技術】
【０００２】
一般的に、スチーム使用機器や生蒸気輸送管（スチーム配管）などには、一定圧力によって供給されるパイプ内のスチームが低温の外部温度の影響で生成されるドレインを排出するためのスチームトラップが設置される。関連の先行技術としては、本出願人が出願して登録された特許文献１がある。
【０００３】
上記の先行技術は、スチームトラップの前端配管に加えられる圧力とスチームトラップ後段に残っている背圧（ｂａｃｋ  ｐｒｅｓｓｕｒｅ）との差、即ち差圧を把握し、圧力と発生凝縮水を計算して、各設置場所に合うオリフィスホールの正確な口径を選択して設置される。そのため、上記の先行技術は、凝縮水の発生量による計算を通じて、それに合うオリフィスホールを選択しなければならないという煩わしさがある。
【先行技術文献】
【特許文献】
【０００４】
【特許文献１】大韓民国特許第１０−１１８９７０６号「オリフィススチームトラップ」
【発明の概要】
【発明が解決しようとする課題】
【０００５】
本発明の目的は、設置環境に拘らず如何なる場所にも設置されることができるマルチアプリケーションオリフィススチームトラップ装置を提供することにある。
【０００６】
本発明が達成しようとする技術的課題は、以上で言及した技術的課題に制限されず、言及されていない他の技術的課題は、下記の記載により、本発明が属する技術分野で通常の知識を持った者が明確に理解することができるであろう。
【課題を解決するための手段】
【０００７】
上記の目的を達成するための本発明は、オリフィスホールを有し、生蒸気輸送管に連結されて生蒸気の漏れを遮断し、凝縮水のみを排出するオリフィススチームトラップと、凝縮水が排出される前記オリフィススチームトラップの後段に連結され、前記オリフィススチームトラップの背圧を調節する背圧調節手段と、前記背圧調節手段の前側である前記背圧調節手段と前記オリフィススチームトラップとの間又は前記背圧調節手段の後側のいずれか一つまたは両方に設置され、前記背圧調節手段の前側または後側のいずれか一つまたは両方で、温度または圧力のいずれか一つまたは両方を測定する測定手段を含む。
【０００８】
具体的に、前記背圧調節手段は、弁であることができる。
【０００９】
前記測定手段は、温度測定手段と圧力測定手段のいずれか一つまたは両方からなり、温度または圧力のいずれか一つまたは両方を測定することができる。
【００１０】
前記温度測定手段と前記圧力測定手段は、前記背圧調節手段の前側である前記背圧調節手段と前記オリフィススチームトラップとの間に順次設置され、前記背圧調節手段の前側の温度と圧力を測定することができる。
【００１１】
前記温度測定手段と前記圧力測定手段は、前記背圧調節手段の後側に順次設置され、前記背圧調節手段の後側の温度と圧力を測定することができる。
【００１２】
前記温度測定手段は、前記背圧調節手段の前側である前記背圧調節手段と前記オリフィススチームトラップとの間に設置され、前記背圧調節手段の前側の温度を測定することができる。
【００１３】
前記温度測定手段と前記圧力測定手段は、前記背圧調節手段の後側に順次設置され、前記背圧調節手段の後側の温度と圧力を測定することができる。
【００１４】
前記圧力測定手段は、前記背圧調節手段の前側である前記背圧調節手段と前記オリフィススチームトラップとの間に設置され、前記背圧調節手段の前側の圧力を測定することができる。
【００１５】
前記温度測定手段と前記圧力測定手段は、前記背圧調節手段の後側に順次設置され、前記背圧調節手段の後側の温度と圧力を測定することができる。
【００１６】
前記温度測定手段と前記圧力測定手段は、前記背圧調節手段の後側に順次設置され、前記背圧調節手段の後側の温度と圧力を測定することができる。
【００１７】
前記温度測定手段は、前記背圧調節手段の後側に設置され、前記背圧調節手段の後側の温度を測定することができる。
【００１８】
前記温度測定手段は、１つ以上の汽水分離壁と温度測定センサーとを含むことができる。
【００１９】
前記温度測定手段は、管部と前記管部から突き出す錐台部とを含み、前記汽水分離壁は、前記管部と前記錐台壁に配列され、前記温度測定センサーは、錐台壁の上部に設置されることができる。
【００２０】
前記温度測定手段は、温度測定センサーが測定した温度データの伝送を受けて外部に表示する表示手段をさらに含むことができる。
【００２１】
前記圧力測定手段は、管体と前記管体に設置される圧力計とからなることができる。
【００２２】
温度測定手段の温度データと圧力測定手段の圧力データ中のいずれか一つまたは両方のデータの伝送を受けて前記排気手段（調節弁を自動で）の作動を制御する制御手段をさらに含むことができる。
【発明の効果】
【００２３】
本発明によると、様々なモデルのオリフィススチームトラップの役割を一度で行うことができる機能と効果により、従来のように計算された条件に合うオリフィスホールを有するオリフィススチームトラップを選択する作業が不要である。
【００２４】
これにより、設置環境に合うオリフィス口径を選択しなければならないという煩わしさをなくすことができ、多様な容量の凝縮水が排出可能である。
【図面の簡単な説明】
【００２５】
【図１】本発明の第１実施例のマルチアプリケーションオリフィススチームトラップ装置を示す図面である。
【図２】図１の断面を概略的に示す図面である。
【図３】本発明の第１実施例で温度測定手段の他の例を示す断面図である。
【図４】本発明の第２実施例のマルチアプリケーションオリフィススチームトラップ装置を示す図面である。
【図５】本発明の第３実施例のマルチアプリケーションオリフィススチームトラップ装置を示す図面である。
【図６】本発明の第４実施例のマルチアプリケーションオリフィススチームトラップ装置を示す図面である。
【図７】本発明の第５実施例のマルチアプリケーションオリフィススチームトラップ装置を示す図面である。
【図８】本発明の第６実施例のマルチアプリケーションオリフィススチームトラップ装置を示す図面である。
【発明を実施するための形態】
【００２６】
以下、添付の図面を参照して、本発明の好ましい実施例を詳しく説明する。図面のうち同一の構成要素は、可能な限り明細書全体で同一の符号で表示する。また、本発明の要旨を不要に曖昧にし得る公知機能及び構成に対する詳しい説明は省略する。
【００２７】
図１乃至図３に示すように、本発明の第１実施例のマルチアプリケーションオリフィススチームトラップ装置（以下、「本発明の第１実施例」という）は、オリフィススチームトラップ１００、温度測定手段２００、圧力測定手段３００、背圧調節手段４００が順次に連結してなる。
【００２８】
オリフィススチームトラップ１００は、前段にオリフィスホール１０１を具備し、生蒸気輸送管（スチーム配管）などに連結して生蒸気の漏れを遮断し、凝縮水のみを排出する知られた技術である。オリフィススチームトラップ１００は、ねじを形成して、スチーム配管などに脱着可能に設置されることができる。
【００２９】
オリフィススチームトラップ１００の後段に連結される背圧調節手段４００は、オリフィスホール１０１を通過した凝縮水の流れを妨げることで、オリフィススチームトラップ１００の内部圧力が降圧することを防ぎ、オリフィススチームトラップ１００の後段に形成される背圧を一定に維持させる役割をする。
【００３０】
背圧調節手段４００は、通常の弁であり、凝縮水が通過する通路を開閉してオリフィススチームトラップ１００の背圧を一定に維持させる。
【００３１】
温度測定手段２００は、オリフィススチームトラップ１００の後段の温度を測定して、背圧調節手段４００が調節した背圧が有効であるか否かをチェックする。背圧調節手段４００によってオリフィススチームトラップ１００の背圧が調節されていない場合、オリフィススチームトラップ１００を通じて凝縮水と共に生蒸気が漏れる。
【００３２】
温度測定手段２００は、凝縮水と生蒸気が漏れるオリフィススチームトラップ１００の後段の温度を測定し、例えば、デジタル温度計、コンピュータ手段のような表示手段５００に測定した温度データを伝送して文字や数字などで表示する。背圧調節手段４００が操作されて凝縮水の流れが妨げられることで背圧が調節されれば、オリフィススチームトラップ１００から生蒸気の漏れは遮断され、温度測定手段２００は、生蒸気が漏れた状態の温度より低い温度を表示手段５００に表示する。
【００３３】
表示手段５００に表示された温度が一定に維持されれば、オリフィススチームトラップ１００から生蒸気がそれ以上漏れない状態であるので、背圧調節手段４００の操作は停止され、一定の背圧が維持される。圧力測定手段３００は、オリフィススチームトラップ１００の後段に形成される圧力を測定して表示する。圧力測定手段３００は、管体３０１と管体３０１に設置される圧力計３０３とからなる通常の技術である。
【００３４】
オリフィススチームトラップ１００の前段に形成された生蒸気の圧力（存在する本来の蒸気供給圧力）がオリフィススチームトラップ１００を通過しながら降圧するが、その降圧する圧力が背圧調節手段４００によって調節される時に、圧力測定手段３００は、オリフィススチームトラップ１００の後段に形成された背圧が適正圧力であるかをチェックし、温度測定手段２００は、背圧調節手段４００によって調節された背圧が有する飽和温度以上の温度であるかをチェックする。
【００３５】
従って、温度測定手段２００と圧力測定手段３００は、背圧調節手段４００によって調節された背圧が生蒸気の漏れが遮断された適合な圧力であるかがチェック可能なデータを提供する。
【００３６】
このように作動する本発明の第１実施例は、設置環境に拘らず如何なる場所にも設置され、生蒸気が漏れることなく、凝縮水のみを排出することができる。
【００３７】
温度測定手段２００は、生蒸気と凝縮水を分離することで、生蒸気だけの温度を正確に測定することにより、オリフィススチームトラップ１００の生蒸気が漏れたか否かを効果的にチェックすることができる。
【００３８】
温度測定手段２００は、１つ以上の汽水分離壁２０１と温度測定センサー２０３を含み、汽水分離壁２０１が生蒸気と凝縮水を分離することで、温度測定センサー２０３による正確な生蒸気だけの温度測定を可能にする。
【００３９】
図２に例示したように、温度測定手段２００は、管部２０５の内部上下に交互に汽水分離壁２０１を突出形成し、管部２０５の内部下部に形成された汽水分離壁２０１には、凝縮水を排出するための孔２０１ａが形成される。
【００４０】
凝縮水は液体であり、凝縮水から再蒸発した蒸気は水分子状態で噴霧した形態をなすため、凝縮水と再蒸発蒸気が汽水分離壁２０１を通過する間に液体化して管部２０５を抜けていく。
【００４１】
生蒸気は気体状態であるため、液体化せず汽水分離壁２０１をそのまま通過する。従って、温度測定センサー２０３は、生蒸気だけの温度を正確に測定することができ、オリフィススチームトラップ１００の生蒸気が漏れたか否かを効果的にチェックすることができる。
【００４２】
また、図３に例示したように、温度測定手段２００は、管部２０５から錐台壁２０７を突出形成することができ、汽水分離壁２０１は、管部２０５と錐台壁２０７に配列されることができる。この時、温度測定センサー２０３は、錐台壁２０７の上部に設置される。
【００４３】
凝縮水と再蒸発蒸気は、管部２０５に形成された汽水分離壁２０１を通過する間に液体化し、錐台壁２０７の上部に上昇する生蒸気に含まれることができる再蒸発蒸気は、錐台壁２０７の汽水分離壁２０１によって完全に液体化する。
【００４４】
結局、錐台壁２０７の上部には生蒸気だけが存在するため、温度測定センサー２０３は、生蒸気だけの温度を正確に測定することができ、オリフィススチームトラップ１００の生蒸気が漏れたか否かを効果的にチェックすることができる。
【００４５】
オリフィススチームトラップ１００から漏れる生蒸気は、オリフィススチームトラップ１００の後段の圧力の変化に影響を受ける前まで、つまり、凝縮と再蒸発の過程が起こる前までは、本来の供給される蒸気が有する温度と同一の温度が維持されるが、この状態の温度、つまり漏れる生蒸気の温度を測定することで、生蒸気が漏れたか否かを非常に正確にチェックすることができる。
【００４６】
図示してはいないが、管部２０５または錐台壁２０７には、エアベントのような排気手段が設置されることができる。生蒸気が管部２０５または錐台壁２０７の上部に飽和されれば、オリフィススチームトラップ１００から漏れる新しい生蒸気が温度測定センサー２０３まで上昇できない。排気手段は、管部２０５または錐台壁２０７の上部内部に存在する既存の生蒸気を抜き出して、連続して排出される生蒸気が温度測定センサー２０３まで上昇し続けられるようにし、温度測定センサー２０３が生蒸気の温度を持続的に測定することができる。
【００４７】
背圧調節手段４００は、オリフィススチームトラップ１００の前段に位置してもよいが、圧力の低い後段に設置されることが摩耗を減らすことができるため、有利である。
【００４８】
本発明の第１実施例は、コンピュータのような制御手段が含まれることができる。制御手段は、圧力測定手段３００と温度測定手段２００から背圧データと温度データをリアルタイムで伝送を受けて背圧調節手段４００を作動させることにより、背圧を自動で調節することができる。背圧調節手段４００は、電子弁などになるであろう。
【００４９】
これにより、背圧はリアルタイムで自動調節可能となり、そのため、重要な装備の保有性能を効率的に維持することができる。制御手段は、温度及び圧力データの信号を受けて、その信号の値によって本発明の第１実施例が正常で作動するか否かをチェックすることができるため、遠隔で警報装置を作動させることができ、正常作動のための背圧調節手段４００の操作が可能である。
【００５０】
図４は、本発明の第２実施例のマルチアプリケーションオリフィススチームトラップ装置を示す図面である。
【００５１】
図４に示すように、本発明の第２実施例のマルチアプリケーションオリフィススチームトラップ装置（以下、「本発明の第２実施例」という）は、本発明の第１実施例における背圧調節手段４００の後側に温度測定手段２００と圧力測定手段３００を順次にさらに配列したものである。
【００５２】
即ち、本発明の第２実施例は、オリフィススチームトラップ１００、温度測定手段２００、圧力測定手段３００、背圧調節手段４００、温度測定手段２００、圧力測定手段３００を順次に配列してなる。
【００５３】
背圧調節手段４００の後側に温度測定手段２００と圧力測定手段３００をさらに装着したのは、背圧調節手段４００を通過した凝縮水の温度と凝縮水回収配管６００に加えられている圧力（以下、「２次背圧」という）の存在有無が分からない場合、その２次背圧を確認して、該２次背圧が有する飽和温度を基準として適正温度であるかを確認するためである。
【００５４】
背圧調節手段４００の前側に位置した温度測定手段２００が測定した温度は、本来の供給される蒸気圧力が有する温度と同一であるか低く、背圧調節手段４００の調節によって背圧調節手段４００の後側に位置した温度測定手段２００が測定した温度に徐々に近づけば、オリフィススチームトラップ１００から生蒸気が漏れない。
【００５５】
図５は、本発明の第３実施例のマルチアプリケーションオリフィススチームトラップ装置を示す図面である。
【００５６】
図５に示すように、本発明の第３実施例のマルチアプリケーションオリフィススチームトラップ装置（以下、「本発明の第３実施例」という）は、本発明の第２実施例における背圧調節手段４００の前側に位置した圧力測定手段３００のみを除去したものである。
【００５７】
即ち、本発明の第３実施例は、オリフィススチームトラップ１００、温度測定手段２００、背圧調節手段４００、温度測定手段２００、圧力測定手段３００を順次に配列してなる。
【００５８】
本発明の第３実施例は、背圧調節手段４００の後側に形成される２次背圧と、該２次背圧が有する飽和温度を確認して、背圧調節手段４００の前側に位置した温度測定手段２００が測定した温度が適正温度であるかを確認するためのものである。
【００５９】
背圧調節手段４００の前側に位置した温度測定手段２００が測定した温度は、本来の供給される蒸気の圧力が有する温度と同一であるか低く、背圧調節手段４００の調節によって背圧調節手段４００の後側に位置した温度測定手段２００が測定した温度に徐々に近づけば、オリフィススチームトラップ１００から生蒸気が漏れない。
【００６０】
本発明の第３実施例は、同一のスチーム配管内に凝縮水を間欠的に排出する従来のスチームトラップ（例えば、浮具型スチームトラップなど）と混在してオリフィススチームトラップ１００が設置される場合、従来型のスチームトラップの凝縮水の間欠排出による温度変化について、最高温度を把握することができる。
【００６１】
図６は、本発明の第４実施例のマルチアプリケーションオリフィススチームトラップ装置を示す図面である。
【００６２】
図６に示すように、本発明の第４実施例のマルチアプリケーションオリフィススチームトラップ装置（以下、「本発明の第４実施例」という）は、本発明の第２実施例における背圧調節手段４００の前側に位置した温度測定手段２００のみを除去したものである。
【００６３】
即ち、本発明の第４実施例は、オリフィススチームトラップ１００、圧力測定手段３００、背圧調節手段４００、温度測定手段２００、圧力測定手段３００を順次に配列してなる。
【００６４】
本発明の第４実施例は、背圧調節手段４００の後側に形成される２次背圧とその２次背圧が有する飽和温度を確認して、背圧調節手段４００の前側に位置した圧力測定手段３００が測定した圧力が適正圧力であるかを確認するためのものである。
【００６５】
背圧調節手段４００の前側に位置した圧力測定手段３００が測定した圧力は、本来供給される蒸気圧力より低く、背圧調節手段４００の調節によって背圧調節手段４００の後側に位置した圧力測定手段３００が測定した圧力に徐々に近づけば、オリフィススチームトラップ１００から生蒸気が漏れない。
【００６６】
本発明の第４実施例は、同一のスチーム配管内に凝縮水を間欠的に排出する従来のスチームトラップ（例えば、浮具型スチームトラップなど）と混在してオリフィススチームトラップ１００が設置される場合、従来型のスチームトラップの凝縮水の間欠排出による圧力変化を把握して、従来のスチームトラップの摩耗による生蒸気の漏れ及び漏れ量の程度について把握することができる。
【００６７】
図７は、本発明の第５実施例のマルチアプリケーションオリフィススチームトラップ装置を示す図面である。
【００６８】
図７に示すように、本発明の第５実施例のマルチアプリケーションオリフィススチームトラップ装置（以下、「本発明の第５実施例」という）は、本発明の第２実施例における背圧調節手段４００の前側に位置した温度測定手段２００と圧力測定手段３００を全て除去したものである。
【００６９】
即ち、本発明の第４実施例は、オリフィススチームトラップ１００、背圧調節手段４００、温度測定手段２００、圧力測定手段３００を順次に配列した構造である。
【００７０】
本発明の第４実施例は、凝縮水を間欠排出する従来型のスチームトラップ（例えば、浮具型スチームトラップなど）の影響がないか少ない場合、かつ、２次背圧の存在有無が分からない場合、背圧調節手段４００を調整して２次背圧が有する飽和温度を基準として適正温度まで下降させて、オリフィススチームトラップ１００の生蒸気の漏れを遮断するためのものである。
【００７１】
図８は、本発明の第６実施例のマルチアプリケーションオリフィススチームトラップ装置を示す図面である。
【００７２】
図８に示すように、本発明の第６実施例のマルチアプリケーションオリフィススチームトラップ装置（以下、「本発明の第６実施例」という）は、背圧調節手段４００の後側に温度測定手段２００のみを設置したものである。
【００７３】
本発明の第６実施例は、２次背圧がどの程度であるかが分かるか、２次背圧がないことが確認された場合、２次背圧が有する飽和温度を基準として適正温度まで背圧調節手段４００を調整して、オリフィススチームトラップ１００の生蒸気の漏れを遮断する。
【００７４】
本発明によると、様々なモデルのオリフィススチームトラップの役割を一度で行うことができる機能と効果により、従来のように計算された条件に合うオリフィスホールを有するオリフィススチームトラップを選択する作業が不要である。そのため、設置環境に合うオリフィス口径を選択しなければならないという煩わしさをなくすことができ、多様な容量の凝縮水が排出可能である。
【００７５】
上記の本発明は、好ましい実施例を中心として説明したが、本発明が属する技術分野で通常の知識を有する者は、本発明の本質的な技術範囲内で上記本発明の詳細な説明と異なる形態の実施例を実現することができる。ここで、本発明の本質的な技術範囲は、特許請求の範囲に示されており、それと同等な範囲内にある全ての差異点は、本発明に含まれると解釈されるべきである。
【図１】
2017531771.tif 000003
【図２】
2017531771.tif 000004
【図３】
2017531771.tif 000005
【図４】
2017531771.tif 000006
【図５】
2017531771.tif 000007
【図６】
2017531771.tif 000008
【図７】
2017531771.tif 000009
【図８】
2017531771.tif 000010
【国際調査報告】
2017531771.tif 000011
2017531771.tif 000012
2017531771.tif 000013
2017531771.tif 000014